【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
無線通信ネットワーク（１０）における動作のために構成される無線デバイス（１６）における方法（６００）であって、
前記無線デバイス（１６）において受信される同期信号を検出すること（６０２）と、
前記同期信号の相対的な位置又はマッピングから、前記同期信号が、前記ネットワーク（１０）における基地局（２０）から発せられたネットワーク同期信号であるか、他の無線デバイス（１６）から発せられたデバイス生成型同期信号であって前記ネットワーク同期信号と同じシーケンスのうちの少なくともサブセットを用いて生成される前記デバイス生成型同期信号であるかについて、決定すること（６０４）と、
前記同期信号がネットワーク同期信号であると決定された場合に第１の処理手続（６０６）に従って前記同期信号を処理すること、及び、前記同期信号がデバイス生成型同期信号であると決定された場合に第２の処理手続（６０８）に従って前記同期信号を処理すること
とを有することを特徴とする方法。
【請求項２】
請求項１に記載の方法（６００）であって、前記第２の処理手続（６０８）は、前記同期信号がデバイス生成型同期信号である場合に送信される、物理デバイス・ツー・デバイス同期チャネル（ＰＤ２ＤＳＣＨ）の復号を試行することと、前記ＰＤ２ＤＳＣＨを復号することから得られる１つ以上のパラメータを処理することと、を含むことを特徴とする方法。
【請求項３】
請求項１又は２に記載の方法（６００）であって、前記第１の処理手続（６０６）は、ネットワーク同期信号に対して前記無線デバイス（１６）の１つ以上のタイミングを同期させるための第１のルールを含み、前記第２の処理手続（６０８）は、デバイス生成型同期信号に対して前記無線デバイス（１６）の１つ以上のタイミングを同期させるための第２のルールを含む、ことを特徴とする方法。
【請求項４】
請求項１から３のいずれか１項に記載の方法（６００）であって、前記同期信号がネットワーク同期信号であるかデバイス生成型同期信号であるかについての前記決定は、前記同期信号の相対的な位置から行われる、ことを特徴とする方法。
【請求項５】
請求項１から４のいずれか１項に記載の方法（６００）であって、前記同期信号はプライマリ同期信号及びセカンダリ同期信号を含み、前記決定すること（６０４）は、前記相対的な位置の１つの面としての前記プライマリ同期信号及びセカンダリ同期信号の間の間隔又は距離が、時分割複信（ＴＤＤ）モードで動作する基地局（２０）によって使用されるように定められた間隔又は距離と異なる場合に、前記同期信号がネットワーク同期信号ではなくデバイス生成型同期信号であると決定することを含む、ことを特徴とする方法。
【請求項６】
請求項１から４のいずれか１項に記載の方法（６００）であって、前記同期信号はプライマリ同期信号及びセカンダリ同期信号を含み、前記決定すること（６０４）は、前記相対的な位置の別の面としての前記プライマリ同期信号及びセカンダリ同期信号の順序が、周波数分割複信（ＦＤＤ）モードで動作している基地局（２０）によって使用されるように定められた順序と異なる場合に、前記同期信号がネットワーク同期信号ではなくデバイス生成型同期信号であると決定することを含む、ことを特徴とする方法。
【請求項７】
請求項１から３のいずれか１項に記載の方法（６００）であって、前記同期信号はプライマリ同期信号及びセカンダリ同期信号を含み、前記決定すること（６０４）は、前記同期信号に関連する前記無線デバイス（１６）によって受信されるデバイス・ツー・デバイス（Ｄ２Ｄ）ブロードキャスト制御チャネルにおける１つ以上の制御フィールドが包含されている又は省略されている場合に、前記同期信号がネットワーク同期信号ではなくデバイス生成型同期信号であると決定することを含み、前記制御フィールドの省略又は包含が、前記Ｄ２Ｄブロード制御チャネルを、前記ネットワーク同期信号の個別の送信に関連する前記基地局（２０）のいずれかによるネットワークブロードキャスト制御チャネル伝送と特性的に区別する、ことを特徴とする方法。
【請求項８】
請求項１から７のいずれか１項に記載の方法（６００）であって、前記同期信号はプライマリ同期信号及びセカンダリ同期信号を含み、前記決定すること（６０４）は、
前記相対的な位置の１つの面としての前記プライマリ同期信号及びセカンダリ同期信号の間の距離が、時分割複信（ＴＤＤ）モードで動作している基地局（２０）によって使用されることが知られている定められた距離と異なる場合に、前記同期信号が前記ＴＤＤモードで動作している基地局（２０）から発されていないと決定することと、
前記相対的な位置の別の面としての前記プライマリ同期信号及びセカンダリ同期信号の順序が、周波数分割複信（ＦＤＤ）モードで動作している基地局（２０）によって使用されることが知られている定められた順序と異なる場合に、前記同期信号が前記ＦＤＤモードで動作している前記基地局（２０）から発されていないと決定することと、
の少なくとも１つを含む、ことを特徴とする方法。
【請求項９】
無線通信ネットワーク（１０）における動作のために構成される無線デバイス（１６）であって、
前記ネットワーク（１０）における基地局（２０）から及び他の無線デバイス（１６）から、信号を受信するために構成される通信インタフェース（４０）と、
前記通信インタフェース（４０）と動作可能に関連付けられている処理回路（４６）であって、
前記無線デバイス（１６）において受信される同期信号を検出し、
前記同期信号の相対的な位置又はマッピングから、前記同期信号が、前記基地局（２０）のいずれかから発せられたネットワーク同期信号であるか、他の無線デバイス（１６）から発せられたデバイス生成型同期信号であって前記ネットワーク同期信号と同じシーケンスのうちの少なくともサブセットを用いて生成される前記デバイス生成型同期信号であるかについて、決定し、
前記同期信号がネットワーク同期信号であると決定された場合に第１の処理手続に従ってプライマリ同期信号及びセカンダリ同期信号を処理し、及び、前記同期信号がデバイス生成型同期信号であると決定された場合に第２の処理手続に従ってプライマリ同期信号及びセカンダリ同期信号を処理する
ように構成される処理回路（４６）と、を有することを特徴とする無線デバイス。
【請求項１０】
請求項９に記載の無線デバイス（１６）であって、前記第２の処理手続に従って、前記処理回路（４６）は、前記同期信号がデバイス生成型同期信号である場合に送信される、物理デバイス・ツー・デバイス同期チャネル（ＰＤ２ＤＳＣＨ）の復号を試行し、前記ＰＤ２ＤＳＣＨを復号することから得られる１つ以上のパラメータを処理する、ように構成されることを特徴とする無線デバイス。
【請求項１１】
請求項９又は１０に記載の無線デバイス（１６）であって、前記第１の処理手続に従って、前記処理回路（４６）は、ネットワーク同期信号に対して前記無線デバイス（１６）の１つ以上のタイミングを同期させるための第１のルールに従い、前記第２の処理手続に従って、デバイス生成型同期信号に対して前記無線デバイス（１６）の１つ以上のタイミングを同期させるための第２のルールに従う、ように構成されることを特徴とする無線デバイス。
【請求項１２】
請求項９から１１のいずれか１項に記載の無線デバイス（１６）であって、前記処理回路（４６）は、前記同期信号の相対的な位置から、前記同期信号がネットワーク同期信号であるかデバイス生成型同期信号であるかについて決定する、ように構成されることを特徴とする無線デバイス。
【請求項１３】
請求項９から１２のいずれか１項に記載の無線デバイス（１６）であって、前記同期信号はプライマリ同期信号及びセカンダリ同期信号を含み、前記処理回路（４６）は、前記同期信号に関連する前記無線デバイス（１６）によって受信されるデバイス・ツー・デバイス（Ｄ２Ｄ）ブロードキャスト制御チャネルにおける１つ以上の制御フィールドが包含されている又は省略されている場合に、前記同期信号がネットワーク同期信号ではなくデバイス生成型同期信号であると決定するように構成され、前記制御フィールドの省略又は包含が、前記Ｄ２Ｄブロード制御チャネルを、前記ネットワーク同期信号の個別の送信に関連する前記基地局（２０）のいずれかによるネットワークブロードキャスト制御チャネル送信と特性的に区別する、ことを特徴とする無線デバイス。
【請求項１４】
請求項９から１３のいずれか１項に記載の無線デバイス（１６）であって、前記同期信号はプライマリ同期信号及びセカンダリ同期信号を含み、前記処理回路（４６）は、
前記相対的な位置の１つの面としての前記プライマリ同期信号及びセカンダリ同期信号の間の間隔又は距離が、時分割複信（ＴＤＤ）モードで動作している基地局（２０）によって使用されることが知られている定められた間隔又は距離と異なる場合に、前記同期信号が前記ＴＤＤモードで動作している基地局（２０）から発されていないと決定し、
又は、
前記相対的な位置の別の面としての前記プライマリ同期信号及びセカンダリ同期信号の順序が、周波数分割複信（ＦＤＤ）モードで動作している基地局（２０）によって使用されることが知られている定められた順序と異なる場合に、前記同期信号が前記ＦＤＤモードで動作している前記基地局（２０）から発されていないと決定する、
ように構成されることを特徴とする無線デバイス。
【請求項１５】
無線デバイス（１６）において受信される同期信号を検出すること（６０２）と、
前記同期信号の相対的な位置又はマッピングから、前記同期信号が、ネットワーク（１０）における基地局（２０）から発せられたネットワーク同期信号であるか、他の無線デバイス（１６）から発せられたデバイス生成型同期信号であって前記ネットワーク同期信号と同じシーケンスのうちの少なくともサブセットを用いて生成される前記デバイス生成型同期信号であるかについて、決定すること（６０４）と、
前記同期信号がネットワーク同期信号であると決定された場合に第１の処理手続（６０６）に従って前記同期信号を処理すること（６０６）、及び、前記同期信号がデバイス生成型同期信号であると決定された場合に第２の処理手続（６０８）に従って前記同期信号を処理すること、
を含んだ方法を前記無線デバイス（１６）に実行させるための命令を有するコンピュータプログラム。